【手続補正書】
【提出日】平成28年3月29日(2016.3.29)
【手続補正１】
【補正対象書類名】明細書
【補正対象項目名】０１３０
【補正方法】変更
【補正の内容】
【０１３０】
（実施例５）
ＣＤＢ−３３１４２（７５部）、ＥＢ−ＰＯ−１１０３４−１（２５部）、ＣＡＲＰＯＬ  ＧＰ−７００（３．６部）、Ａｒｃｏｌ  Ｅ−４３４（４．００部）、水（１．２部）、トリエタノールアミンＬＦＧ（３．７部）、ＤＡＢＣＯ  ＤＣ−１９８（２．０部）、ＤＡＢＣＯ  ３３−ＬＶ（０．４５部）、ＤＡＢＣＯ  ＢＡ−１００（０．１２部）、及びＤＡＢＣＯ  ＢＬ−１７（０．１０部）の混合物に、ＭＤＩ  ＳＵＰＲＡＳＥＣ  ９５６１（６０．５部）を添加することによって、開放気泡ポリウレタン発泡体層を調製し得る。本発明の実施態様の一部を以下の項目［１］−［３２］に記載する。
[１]
流体透過性トップシートと流体不透過性バックシートとの間に配置される吸収性複合材であって、
少なくとも１００μｍの平均気泡径を有するポリマー発泡体を含む第１の吸収層であって、前記ポリマー発泡体が、
ａ）５０％で７５Ｎ未満の押込力たわみ、若しくは
ｂ）５０％たわみ時に２５％未満の定たわみ圧縮永久ひずみ、又は
ａ）とｂ）との組み合わせ、から選択される少なくとも１つの特性を有する、第１の吸収層、及び
前記流体輸送層と流体連通する第２の吸収層、を含む、吸収性複合材を含む、吸収性物品。
[２]
前記物品が、使い捨ておむつ、婦人衛生物品、又は成人失禁用物品である、項目１に記載の吸収性物品。
[３]
前記発泡体の前記平均気泡径が、５００μｍ以下である、項目１又は２に記載の吸収性物品。
[４]
前記発泡体が、超吸収性ポリマーを含有しない、項目１〜３のいずれか一項に記載の吸収性物品。
[５]
前記ポリマー発泡体が、親水性ポリマーの連続相を含む、項目１〜４のいずれか一項に記載の吸収性物品。
[６]
前記第１の吸収層が流体輸送層であり、また、前記第２の吸収層が前記第１の吸収層よりも高い吸収能を有する、項目１〜５のいずれか一項に記載の吸収性物品。
[７]
前記第２の吸収層が、繊維層、発泡体層、又はこれらの組み合わせから選択される、項目１〜６のいずれか一項に記載の吸収性物品。
[８]
前記繊維層が、セルロース繊維を含む、項目７に記載の吸収性物品。
[９]
前記第２の吸収層が、超吸収性ポリマーを含む、項目１〜８のいずれか一項に記載の吸収性物品。
[１０]
前記物品が、前記第１の吸収層と前記第２の吸収層との間にティッシュ層を更に含む、項目１〜９のいずれか一項に記載の吸収性物品。
[１１]
前記複合材が、少なくとも１０ｇ／ｇの吸収能を有する、項目１〜１０のいずれか一項に記載の吸収性物品。
[１２]
前記複合材が、少なくとも１ｇ／ｃｃの吸収能を有する、項目１〜１１のいずれか一項に記載の吸収性物品。
[１３]
前記複合材が、１５、１０、又は５秒以下の裏抜けを有する、項目１〜１２のいずれか一項に記載の吸収性物品。
[１４]
前記複合材が、１又は０．５ｇ以下の再湿潤を有する、項目１〜１３のいずれか一項に記載の吸収性物品。
[１５]
ポリマー発泡体が、ポリウレタンポリマーを含む、項目１〜１４のいずれか一項に記載の吸収性物品。
[１６]
前記ポリウレタン発泡体が、少なくとも１つの芳香族ポリイソシアネートから誘導される、項目１５に記載の吸収性物品。
[１７]
前記ポリウレタン発泡体が、ウレタン結合を欠く少なくとも１つの高分子ポリイソシアネートから誘導される、項目１５又は１６に記載の吸収性物品。
[１８]
前記高分子ポリイソシアネートが、ポリイソシアネートの総量の少なくとも７５重量％の量で存在する、項目１７に記載の吸収性物品。
[１９]
前記ポリウレタン発泡体が、少なくとも１０重量％のポリエチレンオキシド単位を含む、項目１５〜１８のいずれか一項に記載の吸収性物品。
[２０]
前記ポリウレタンが、３５００Ｄａ以下の分子量（Ｍｗ）を有するポリエーテルポリオールから誘導される、項目１５〜１９に記載の吸収性物品。
[２１]
前記ポリウレタン発泡体が、エチレンオキシド単位を有するシリコーン界面活性剤から誘導される、項目１５〜２０のいずれか一項に記載の吸収性物品。
[２２]
前記ポリウレタン発泡体が、アミン又はイミン錯化剤を含有しない、項目１５〜２１に記載の吸収性物品。
[２３]
少なくとも１００μｍの平均気泡径を有するポリウレタン発泡体であって、前記ポリウレタン発泡体が、超吸収性ポリマーを含有せず、かつポリエチレンオキシド単位を有する少なくとも１つのポリオールとポリイソシアネート成分との反応生成物を含有し、前記ポリイソシアネート成分の少なくとも７５重量％が、ウレタン結合を欠いた高分子ポリイソシアネートを含む、ポリウレタン発泡体。
[２４]
１００〜５００μｍの平均気泡径を有するポリウレタン発泡体であって、前記ポリウレタン発泡体が、ポリエチレンオキシド単位を有する少なくとも１つのポリオールとポリイソシアネート成分との反応生成物を含有し、前記ポリイソシアネート成分の少なくとも７５重量％が、ウレタン結合を欠いた高分子ポリイソシアネートを含む、ポリウレタン発泡体。
[２５]
少なくとも１００μｍの平均気泡径を有し、かつ少なくとも１２重量％のエチレンオキシド単位を含むポリウレタン発泡体であって、前記ポリウレタン発泡体が、ポリエチレンオキシド単位を有する少なくとも１つのポリオールとポリイソシアネート成分との反応生成物を含有し、前記ポリイソシアネート成分の少なくとも７５重量％が、ウレタン結合を欠いた高分子ポリイソシアネートを含む、ポリウレタン発泡体。
[２６]
項目１、３、４、５、１５〜１６、及び１９〜２２のいずれか一項又はこれらの項の組み合わせの発泡体の基準に従って、前記ポリウレタン発泡体が更に特徴付けられる、項目２３〜２５のいずれか一項に記載のポリウレタン発泡体。
[２７]
前記ポリウレタン発泡体が、１５、１０、又は５秒以下の裏抜けを有する、項目２３〜２６に記載のポリウレタン発泡体。
[２８]
項目２３〜２７のいずれか一項に記載のポリウレタン発泡体、及び第２の吸収層を含む、吸収性複合材。
[２９]
前記第２の吸収層と流体連通する、流体不透過性バックシートを更に含む、項目２８に記載の吸収性複合材。
[３０]
項目２８〜２９のいずれか一項に記載のポリウレタン発泡体、及び第１の吸収層と流体連通する流体透過性トップシートを含む、吸収性複合材。
[３１]
ポリマー性発泡体を含む第１の吸収層であって、前記ポリマー発泡体が、超吸収性ポリマーを含有せず、かつ少なくとも１００μｍの平均気泡径を有する、第１の吸収層と、
流体輸送層と流体連通する、少なくとも２０ｇ／ｇの平均吸収能を有する第２の吸収層と、を含む、吸収性複合材を含む、吸収性物品。
[３２]
前記ポリマー発泡体、前記第２の吸収層、又は前記複合材が、項目２〜３０のいずれか一項又はこれらの項の組み合わせによって更に特徴付けられる、項目３１に記載の吸収性物品。
【手続補正２】
【補正対象書類名】特許請求の範囲
【補正対象項目名】全文
【補正方法】変更
【補正の内容】
【特許請求の範囲】
【請求項１】
流体透過性トップシートと流体不透過性バックシートとの間に配置される吸収性複合材であって、
少なくとも１００μｍの平均気泡径を有するポリマー発泡体を含む第１の吸収層であって、前記ポリマー発泡体が、
ａ）１５０ｍｍ×１５０ｍｍの領域にて５０％で７５Ｎ未満の押込力たわみ、若しくは
ｂ）５０％たわみ時に２５％未満の定たわみ圧縮永久ひずみ、又は
ａ）とｂ）との組み合わせ、から選択される少なくとも１つの特性を有する、第１の吸収層、及び
前記第１の吸収層と流体連通する第２の吸収層、を含む、吸収性複合材を含む、吸収性物品。
【請求項２】
前記物品が、使い捨ておむつ、婦人衛生物品、又は成人失禁用物品である、請求項１に記載の吸収性物品。
【請求項３】
前記発泡体の前記平均気泡径が、５００μｍ以下である、請求項１又は２に記載の吸収性物品。
【請求項４】
前記発泡体が、超吸収性ポリマーを含有しない、請求項１〜３のいずれか一項に記載の吸収性物品。
【請求項５】
前記第１の吸収層が流体輸送層であり、また、前記第２の吸収層が前記第１の吸収層よりも高い吸収能を有する、請求項１〜４のいずれか一項に記載の吸収性物品。
【請求項６】
前記ポリウレタン発泡体が、エチレンオキシド単位を有するシリコーン界面活性剤から誘導される、請求項１〜５のいずれか一項に記載の吸収性物品。
【請求項７】
前記ポリウレタン発泡体が、アミン又はイミン錯化剤を含有しない、請求項１〜５に記載の吸収性物品。